(57)【特許請求の範囲】
【請求項１】
通信ネットワークが移動局に通信サービスを提供するように動作可能な無線通信システムにおいて、マルチスロット・ベースの出力クラスの指定に基づいて無線リンクを介して通信を制御する方法であって、
移動局の複数の出力レベルと該複数の出力レベルの各々の出力レベルに対応するスロット数とに関連付けられたマルチスロット・ベースの出力クラスの指定を通信ネットワークに提供すること、および
前記マルチスロット・ベースの出力クラスの指定に基づき、無線リンクを介して前記通信ネットワークと通信すること
から成る方法。
【請求項２】
前記無線リンクを介した前記通信ネットワークとの通信の間に、前記移動局に関連付けられた、熱パラメータおよび出力パラメータのうちの１つである動作パラメータを監視すること、および
閾値を超える前記動作パラメータを検出したことに応答して、前記無線リンクを介した前記通信ネットワークとの通信を中断すること、
からさらに成る請求項１に記載の方法。
【請求項３】
前記無線リンクを介した前記通信ネットワークとの通信の間に前記移動局に関連付けられた動作パラメータを監視することが、アップリンクを介した前記通信ネットワークへのデータ送信の間に前記移動局内の送信ユニットの温度を監視することから成る請求項２に記載の方法。
【請求項４】
前記マルチスロット・ベースの出力クラスの指定を通信ネットワークに提供することが、ユーザ選択可能なマルチスロット・ベースの出力クラスの指定を通信ネットワークに提供することから成る請求項１に記載の方法。
【請求項５】
前記マルチスロット・ベースの出力クラスの指定に基づき、無線リンクを介して通信ネットワークと通信することが、
前記マルチスロット・ベースの出力クラスの指定に基づいて前記通信ネットワークから、割り当て出力レベルおよび割り当てスロット数を含む割り当てメッセージを受信すること、および
該割り当て出力レベルおよび該割り当てスロット数に基づき、アップリンクを介して前記通信ネットワークにデータを送信すること
から成る請求項１に記載の方法。
【請求項６】
前記通信システムが、時分割多元接続（ＴＤＭＡ）ベースの通信システムから成る請求項１に記載の方法。
【請求項７】
通信ネットワークが通信サービスを提供するように動作可能な無線通信システムにおいて、マルチスロット・ベースの出力クラスの指定に基づいて無線リンクを介して通信を制御する移動局であって、
送信ユニットと、
該送信ユニットに動作可能に結合され、メモリと該メモリに動作可能に結合されたプロセッサとを有する制御装置と、を備え、
該制御装置は、該移動局の複数の出力レベルと該複数の出力レベルの各々の出力レベルに対応するスロット数とに関連付けられたマルチスロット・ベースの出力クラスの指定を前記通信ネットワークに提供するようにプログラムされており、かつ
前記マルチスロット・ベースの出力クラスの指定に基づき、無線リンクを介して該通信ネットワークと通信するようにプログラムされている、移動局。
【請求項８】
前記制御装置が、前記無線リンクを介した前記通信ネットワークとの通信の間に、前記移動局に関連付けられた熱パラメータおよび出力パラメータのうちの１つである動作パラメータを監視するようにプログラムされており、かつ、閾値を超える前記動作パラメータを検出したことに応答して、前記無線リンクを介した前記通信ネットワークとの通信を中断するようにプログラムされている請求項７に記載の移動局。
【請求項９】
前記制御装置が、前記送信ユニットの過熱を示唆する条件に関連付けられた閾値を超える前記動作パラメータを検出したことに応答して、アップリンクを介した前記通信ネットワークへのデータ送信を中断するようにプログラムされている請求項８に記載の移動局。
【請求項１０】
前記制御装置が、前記マルチスロット・ベースの出力クラスの指定に基づいて前記通信ネットワークから、割り当て出力レベルおよび割り当てスロット数を含む割り当てメッセージを受信するようにプログラムされ、かつ、該割り当て出力レベルおよび該割り当てスロット数に基づき、アップリンクを介して前記通信ネットワークにデータを送信するようにプログラムされている請求項７に記載の移動局。
【請求項１１】
前記マルチスロット・ベースの出力クラスの指定がユーザ選択可能である請求項７に記載の移動局。
【請求項１２】
時分割多元接続（ＴＤＭＡ）ベースの通信プロトコルに従って動作可能である請求項７に記載の移動局。
【請求項１３】
通信ネットワークが移動局に通信サービスを提供するように動作可能な無線通信システムにおいて、該移動局内の送信ユニットの過熱を防ぐ方法であって、
通信ネットワークに、移動局の複数の出力レベルと該複数の出力レベルの各々の出力レベルに対応するスロット数とに関連付けられたマルチスロット・ベースの出力クラスの指定を送信すること、
前記マルチスロット・ベースの出力クラスの指定に基づいて通信ネットワークから、割り当て出力レベルおよび割り当てスロット数を含む割り当てメッセージを受信すること、
該割り当て出力レベルおよび該割り当てスロット数に基づき、アップリンクを介して前記送信ユニットから通信ネットワークにデータを送信すること、
前記アップリンクを介した通信ネットワークへのデータ送信の間に前記送信ユニットの温度を監視すること、
前記送信ユニットの過熱を示唆する条件に関連付けられた過熱閾値を超える前記送信ユニットの温度を検出したことに応答して、前記アップリンクを介した通信ネットワークへのデータ送信を中断すること、および
前記過熱閾値を下回る前記送信ユニットの温度を検出したことに応答して、前記アップリンクを介した通信ネットワークとの通信を再開すること
から成る方法。
【発明の詳細な説明】
【技術分野】
【０００１】
本開示は無線通信システムに関し、より詳細には、無線リンクを介して通信を制御する方法および移動局に関する。
【背景技術】
【０００２】
通常、移動局（例えばセルラ電話など）には最多送信タイムスロット数および最大送信出力レベルがある。例えば、時分割双方向（ＴＤＤ）通信システムでは、移動局の最大アップリンク・データ転送速度はタイムスロット数に基づいている。すなわち、移動局は、その移動局が使用可能なタイムスロットが多いほど、高速でデータを送信し得る。しかし、移動局は多くの場合、その送信機回路の過熱のために、最大出力レベルで最大データ転送速度を提供し得ない。例えばＧＰＲＳ（汎用パケット無線サービス）ネットワークやＥＤＧＥ（Ｅｎｈａｎｃｅｄ  Ｄａｔａ  ｒａｔｅ  ｆｏｒ  Ｇｌｏｂａｌ  Ｅｖｏｌｕｔｉｏｎ）ネットワークでは、移動局はその出力を、出力クラス指定（すなわち出力階級値）に基づく最大出力レベルに制限することが可能である。移動局はその出力クラス指定をネットワークに提供することが可能であり、次いでネットワークは、その移動局の出力レベルを調整して、そのネットワークによって制御される基地局に届く信号レベルを調節する。状況によっては、よりよいサービス品質を得るために、移動局がより高い出力とより低いデータ転送速度で、またはより低い出力とより高いデータ転送速度で、動作することが必要とされることもある。例えば、移動局が基地局からより遠く離れているときには、基地局と通信するには移動局からのより高い出力が必要とされ得る。それと対照的に、移動局が基地局のより近くにあるときには、移動局はより高いデータ転送速度（すなわちより多くのタイムスロット）で動作し得る。
【０００３】
無線通信システム設計の１態様は、移動局に使用可能なリソースを最適化することである。すなわち、環境やアプリケーションが異なれば、移動局が異なるリソースを使用することが必要になり得る。例えば、Ｗｅｂブラウジングなどのデータ・アプリケーションでは、通信ネットワークへのデータ送信の際により高いデータ転送速度（すなわちより多くのタイムスロット）を使用可能にするために、移動局は、より低い出力レベルで動作することが必要になり得る。そうでないと、前述のように、最大出力レベルと最大データ転送速度で動作することにより、移動局内の送信側回路が過熱する可能性がある。
【０００４】
したがって、移動局の出力レベルとデータ転送速度との間のトレードオフにより、無線リンクを介して通信を最適化することが求められている。
【発明を実施するための最良の形態】
【０００５】
以下、本開示では、その幅広い教示を示すためにいくつかの実施形態について説明する。また、添付の図面も参照する。
無線リンクを介して通信を制御する方法および移動局について述べる。無線通信システムでは、通信ネットワークは、移動局に通信サービスを提供するように動作可能である。移動局は、通信ネットワークにマルチスロット・ベースの出力クラス指定を提供し得る。具体的には、マルチスロット・ベースの出力クラス指定を、その移動局の出力レベルと、その出力レベルに対応するスロット数とに関連付けることが可能である。移動局内の構成部品（例えば送信ユニットなど）が過熱することを防ぐために、出力レベルをその移動局の最大出力より低くすることが可能である。スロット数は、その移動局がより低い出力かつより高いデータ転送速度で動作し得るように出力レベルに対応する。すなわち、スロット数は移動局のデータ転送速度に比例し、そのため、スロット数が多いほど高いデータ転送速度がもたらされる。したがって、通信ネットワークに移動局の能力を知らせることが
可能である。通信ネットワークは、マルチスロット・ベースの出力クラス指定に基づき、無線リンク（例えばアップリンクまたはダウンリンク）を介した通信を確立するために、移動局に無線リソースを割り当て得る。例えば、通信ネットワークは、割り当て出力レベルおよび割り当てスロット数を含む、割り当てメッセージを提供し得る。したがって、移動局は、その割り当て出力レベルと割り当てスロット数とに従い、アップリンクを介して通信ネットワークにデータを送信し得る。
【０００６】
無線リンクを介した通信ネットワークとの通信の間に、移動局は、それだけに限らないが、その移動局に関連する熱パラメータや出力パラメータなどの動作パラメータを監視し得る。例えば、移動局は、その移動局内の送信ユニットの温度を監視して、その温度が閾値を超えたかどうか判定し得る。閾値は、その移動局内の構成部品（例えば送信ユニット）の過熱を示唆する条件に関連付けることが可能である。動作パラメータが閾値を超えたことを検出すると、移動局は、その移動局内での過熱を防ぐために、無線リンクを介した通信ネットワークとの通信を中断し得る。
【０００７】
本開示による通信システムを、いくつかの好ましい実施形態の観点から、具体的には、いくつかの基準のうちの少なくとも１つに従って動作する無線通信システムの観点から説明する。それらの基準には、それだけに限らないが、ＡＭＰＳ（先進移動電話システム）、ＮＡＭＰＳ（狭帯域先進移動電話システム）、ＧＳＭ（広域移動体通信システム）、ＩＳ−５５時分割多元接続（ＴＤＭＡ）ディジタル・セルラ・システム、ＩＳ−９５符号分割多元接続（ＣＤＭＡ）ディジタル・セルラ・システム、ＣＤＭＡ２０００システム、広帯域ＣＤＭＡ（ＷＣＤＭＡ）システム、パーソナル通信システム（ＰＣＳ）、第３世代（３Ｇ）システム、ユニバーサル移動電話システム（ＵＭＴＳ）およびこれらのプロトコルの変形形態および発展形態などのアナログ、ディジタルまたはデュアルモード通信システム・プロトコルが含まれる。無線通信システムは、複数のシステムと複数の要素から成る複合ネットワークである。典型的なシステムおよび要素には、（１）少なくとも１つ、一般には複数の基地局によって通常提供される、移動局（セルラ電話や、無線通信システムへのアクセスに使用される加入者装置など）への無線リンク、（２）基地局間の通信リンク、（３）基地局間の通信を制御すると共に、基地局の動作および対話を管理するための、通常は１つまたは複数の基地局制御装置または集中型基地局制御装置（ＢＳＣ／ＣＢＳＣ）である、制御装置、（４）システム内の呼処理を実施するための、通常は移動交換局（ＭＳＣ）から成る、交換システム、および（５）陸線、すなわち公衆交換電話網（ＰＳＴＮ）またはサービス総合ディジタル通信網（ＩＳＤＮ）へのリンクが含まれる。
【０００８】
基地局サブシステム（ＢＳＳ）または無線アクセスネットワーク（ＲＡＮ）は、通常、１つまたは複数の基地局制御装置および複数の基地局を含み、無線関連機能のすべてを提供する。基地局制御装置は、交換システムと基地局との間の制御機能および物理リンクのすべてを提供する。基地局制御装置は、基地局でのハンドオーバ、セル構成、無線周波数（ＲＦ）出力レベルの制御などの機能を提供する高性能交換機でもある。
【０００９】
基地局は、移動局への無線インターフェイスを取り扱う。基地局は、システム中の各通信セルにサービスを提供するのに必要とされる無線機器（送受信機、アンテナ、増幅器など）を備える。１群の基地局を１台の基地局制御装置によって制御することが可能である。したがって、基地局制御装置は、移動局にリアルタイムの音声、データおよびマルチメディア・サービス（電話など）を提供するように、基地局サブシステムの一部として基地局と一緒に動作する。
【００１０】
図１を参照すると、無線通信システム１００は、通信ネットワーク１１０、ならびに符号１２０および１２５として概略的に示す複数の基地局制御装置（ＢＳＣ）を含み、全サービス区域１３０にサービスを提供する。そうしたシステムで知られているように、各Ｂ
ＳＣ１２０および１２５は、全サービス区域１３０内で、符号１５０、１５２、１５４、１５６として概略的に示す通信セルにサービスを提供する、符号１４０、１４２、１４４、１４６として概略的に示す複数の基地局（ＢＳ）に関連付けられている。ＢＳＣ１２０および１２５、および基地局１４０、１４２、１４４、１４６が指定され、それらが、通信セル１５０、１５２、１５４、１５６中で動作する、符号１６０、１６２、１６４、１６６として一般的に示す各移動局（ＭＳ）に無線通信サービスを提供するために１つまたは複数の適用可能な基準に従って動作する。これらの要素のそれぞれは、モトローラ社（Ｍｏｔｏｒｏｌａ，Ｉｎｃ．）（米国イリノイ州シャンバーグ所在）から市販されている。
【００１１】
図２を参照すると、無線リンクを介して通信を制御するように適合された移動局（図１に１６０として示したもの）が示されている。移動局１６０は、一般に、制御装置２１０、受信ユニット２２０、および送信ユニット２３０を含む。制御装置２１０は、プロセッサ２５０およびメモリ２６０を含む。プロセッサ２５０はメモリ２６０に動作可能に結合され、メモリ２６０は、少なくとも１つの実施形態では、プロセッサ２５０による実行のためのプログラムまたは１組の動作命令を記憶する。プロセッサ２５０は、そのプログラムまたは１組の動作命令を実行して、移動局１６０を本明細書で述べるように動作させる。そのプログラムまたは１組の動作命令は、それだけに限らないが、紙、プログラム可能ゲート・アレイ、特定用途向けＩＣ（ＡＳＩＣ）、消去可能プログラム可能読取り専用メモリ（ＥＰＲＯＭ）、読取り専用メモリ（ＲＯＭ）、ランダム・アクセス・メモリ（ＲＡＭ）、磁気媒体、光媒体などのコンピュータ可読媒体に具現することが可能である。受信ユニット２２０および送信ユニット２３０は、制御装置２１０に動作可能に結合される。受信ユニット２２０および送信ユニット２３０を、図２に示すように別個の構成部品とすることも、１つの構成部品（送受信ユニットなど）に統合することもｄきることが、当業者には容易に理解されるであろう。
【００１２】
図３を参照すると、無線リンクを介して通信を制御する基本的流れ３００は、移動局１６０が通信ネットワーク１１０にその能力を知らせることから開始し得る。具体的には、移動局１６０は、通信ネットワーク１１０にマルチスロット・ベースの出力クラス指定３１０を提供し得る。例えば、移動局１６０は、移動局１６０がオンにされたときに（すなわち、通信サービスのための登録を介して）マルチスロット・ベースの出力クラス指定３１０を通信ネットワーク１１０に登録し得る。マルチスロット・ベースの出力クラス指定３１０は、それだけに限らないが、移動局１６０の出力レベルやその出力レベルに対応するスロット数などの、その移動局の能力に関連付けることが可能である。移動局１６０内の構成部品（例えば送信ユニット２３０）が過熱することを防ぐために、出力レベルをその移動局１６０の最大出力より低くすることが可能である。スロット数は、移動局１６０がより低い出力かつより高いデータ転送速度で動作し得るように、出力レベルに対応する。すなわち、スロット数は移動局１６０のデータ転送速度に比例し、そのため、スロット数が多いほど高いデータ転送速度がもたらされる。
【００１３】
マルチスロット・ベースの出力クラス指定３１０は、例えば、０から３２までの範囲の数とすることが可能であり、この場合、０は、以下で詳細に説明するように、出力レベルが低下しないことを表す。代わりに、出力クラス指定４１０を、２ビットから８ビットをスロット数に対応させた８ビット２進コードで表すことも可能である。この概念を例示すると、２進コード００１０００００は、スロット数が３に増加した（すなわちビット３が論理１である）場合に出力クラスが１増分低下することを表すことが可能であり、２進コード００１１００００は、スロット数が３または４に増加した（すなわちビット３およびビット４が論理１である）場合に出力クラスが１低下することを表すことが可能である。別の例では、２進コード０１１００１００は、スロット数が２、３または６に増加した場合に出力クラスが１増分低下することを表すことが可能であり、２進コード０１１０００
１０は、スロット数が２、３または７に増加した場合に出力クラスが１増分だけ低下することを表すことが可能である。
【００１４】
図４を参照すると、０１００００１１のマルチスロット・ベースの出力クラス指定に使用可能な出力クラスおよびスロット数が示されている。ここで、スロット数が２、７または８に増加した場合には、出力クラスを１増分低下させることが可能である。具体的には、出力クラス２は、最大出力３９ｄＢｍ（すなわち７．９４３３ワット（Ｗ））に対応し、１つのスロットをサポートする。ｄＢｍを使用してミリワット（ｍＷ）に対する出力の絶対値を表すことができること、すなわち、０ｄＢｍが１ｍＷと等価であることが、当業者には容易に理解されるであろう。出力クラスが増大するに従って、その出力クラスに対応する移動局１６０の出力は低下するが、その出力クラスに対応するスロット数は増加する。例えば、最大出力３７ｄＢｍ（すなわち５．０１２Ｗ）に対応する出力クラス３は２つのスロットをサポートすることが可能であり、最大出力２９ｄＢｍ（すなわち０．７９４３３Ｗ）に対応する出力クラス５は８つのスロットをサポートすることが可能である。マルチスロット・ベースの出力クラス指定４１０は、移動局１６０で使用可能なスロット数を、最大ワット損閾値（すなわち図４の斜線領域以外）を超えずに増加できるように、移動局１６０の最大出力（すなわち図４に示す３９ｄＢｍ）より低い出力に対応する出力クラスを提供し得る。すなわち、移動局１６０は、より低い出力レベルで動作することによって、移動局１６０内の送信ユニット２３０を過熱させずに、より高いデータ転送速度で（すなわちより多数のスロットで）送信を行い得る。
【００１５】
過熱を回避するためには、例えば、移動局１６０を最大ワット損閾値１５Ｗで較正することが可能である。最大ワット損閾値は、移動局１６０の最大出力に基づくものである（すなわちワット損は、その出力の平方根に正比例または比例する）ことが、当業者には容易に理解されるであろう。したがって、出力クラス３、４、および５は、最大ワット損の１５Ｗを超えずに、複数のスロットをサポートし得る（すなわち、出力クラス２では、最大ワット損の１５Ｗ以下では１つのタイムスロットしか使用できない）。具体的には、マルチスロット・ベースの出力クラス３は、最大ワット損１５Ｗを超えずに２つのスロットをサポートすることができる。同様に、マルチスロット・ベースの出力クラス４は７つのスロットをサポートすることが可能であり、マルチスロット・ベースの出力クラス５は、８つのスロットをサポートすることが可能である。移動局１６０は、出力とデータ転送速度の間でトレードオフを行い得る。というのは、移動局１６０が通信に使用可能なスロット数が増加するにつれて、最大出力は低下するからである。すなわち、移動局１６０の最大出力は、マルチスロット・ベースの出力クラス３での３７ｄＢｍからマルチスロット・ベースの出力クラス５での２９ｄＢｍに低下する。しかし、マルチスロット・ベースの出力クラス５は、マルチスロット・ベースの出力クラス３よりも高いデータ転送速度をサポートし得る。最大ワット損１５Ｗを超えずに、例えば、マルチスロット・ベースの出力クラス５では８つのタイムスロットを使用し得るのに対して、マルチスロット・ベースの出力クラス３では２つのタイムスロットしか使用し得ない。
【００１６】
図３に戻ると、通信ネットワーク１１０は、移動局１６０からのマルチスロット・ベースの出力クラス指定を記憶することが可能である。通信サービスのために移動局１６０から通信リソースを求める要求を受け取る（４２０）と、通信ネットワーク１１０は、通信リソースを割り当てるためのマルチスロット・ベースの出力クラス指定を取り出し得る。例えば、移動局１６０は、データ・アプリケーション（Ｗｅｂブラウジングなど）を開始し、あるいは音声アプリケーションからデータ・アプリケーションへの切り換えを行い得る。したがって、移動局１６０は、そのデータ・アプリケーションの間に、アップリンクを介して通信ネットワーク１１０にデータを送信するための通信リソースを要求し得る。具体的には、通信ネットワーク１１０は、データ・スループットを最大化すると同時に移動局１６０を熱閾値より下に維持する（すなわち移動局１６０が過熱するのを防ぐ）よう
に、移動局１６０の能力およびアップリンク条件に基づいて移動局１６０に通信リソースを割り当てることが可能である。そのために、通信ネットワーク１１０は、出力とデータ転送速度の間でトレードオフを行い得る。マルチスロット・ベースの出力クラス指定に基づき、通信ネットワーク１１０は、サービスの品質を最適化するために、移動局１６０がより低い出力レベルまたはより少ないスロット数で動作するよう割り当てを行うことが可能である。例えば、移動局１６０は、その移動局１６０が基地局１４０からより遠く離れているときは、より高い出力レベルかつより低いデータ転送速度（すなわちより少ないスロット数）で動作し得る。それと対照的に、移動局１６０は、その移動局１６０が基地局１４０のより近くにあるときは、より高いデータ転送速度（すなわちより多いスロット数）かつより低い出力レベルで動作し得る。
【００１７】
したがって、通信ネットワーク１１０は、マルチスロット・ベースの出力クラス指定に基づいて移動局１６０に通信リソースを割り当てることが可能である。通信ネットワーク１１０は、無線リンクを確立するために、移動局１６０が使用可能な通信リソースに関連する情報を含む割り当てメッセージを送信し得る（３３０）。例えば、この割り当てメッセージは、マルチスロット・ベースの出力クラス指定に基づいて移動局１６０が使用可能な割り当て出力レベルおよび割り当てスロット数を含み得る。割り当て出力レベルは移動局１６０の最大出力より低くすることが可能であるが、割り当てスロット数は、移動局１６０を、以前に割り当てられたデータ転送速度より高いデータ転送速度で動作させることが可能である。移動局１６０は、通信ネットワーク１１０から送信する権限を受け取る（３４０）と、アップリンクを介して通信ネットワーク１１０にデータを送信し得る（３５０）。
【００１８】
アップリンクを介した通信ネットワーク１１０へのデータ送信の間、移動局１６０は、移動局１６０が過熱することを防ぐために、移動局１６０に関連付けられた動作パラメータを監視し得る。この動作パラメータは、それだけに限らないが、熱パラメータおよび出力パラメータとすることが可能である。例えば、制御装置２１０は、移動局１６０内の送信ユニット２３０の温度を監視し、その温度が閾値を超えたかどうか判定し得る。この閾値は、移動局１６０の過熱を示唆する条件に関連付けることが可能である。制御装置２１０は、移動局１６０内の他の構成部品の温度も監視し得る。というのは、送信ユニット２３０によって生成された熱が原因で他の構成部品が閾値を超えることもあるからである。
【００１９】
熱パラメータが閾値を超えたとき、移動局１６０は、アップリンクを介した通信ネットワーク１１０へのデータ送信を中断し得る（３６０）。熱パラメータが閾値を下回ったとき、移動局１６０はアップリンクを介したデータ送信を再開し得る（３７０）。
【００２０】
移動局１６０によって（例えばプロセッサ２５０を介して）実行される方法またはコンピュータ・プログラムの１つの可能な実装形態を図５に示す。この方法またはコンピュータ・プログラムは、揮発性または不揮発性メモリ、あるいはその他の大容量記憶装置（例えば、フロッピー（登録商標）・ディスク、コンパクト・ディスク（ＣＤ）、ディジタル多用途ディスク（ＤＶＤ））など多くのコンピュータ可読媒体のいずれかに記憶された多種多様なプログラミング・コードのいずれかを利用した多種多様な方法のいずれかで実施し得ることが、当業者には理解されるであろう。したがって、図５には特定の工程順を示すが、これらの工程は他の時間的順序でも実施し得ることが、当業者には理解されるであろう。また、流れ図５００は、単に、マルチスロット・ベースの出力クラス指定に基づいて無線リンクを介して通信を制御するように移動局１６０を操作またはプログラムする１方法の１例として提供するにすぎない。流れ図５００は工程５１０から開始し、工程５１０で、移動局１６０は、通信ネットワーク（図１で１１０として示したもの）にマルチスロット・ベースの出力クラス指定を提供する。このマルチスロット・ベースの出力クラス指定は、移動局１６０の出力レベルとその出力レベルに対応するスロット数に関連付け得
る。それに応答して、通信ネットワークは、移動局１６０が工程５２０で無線リンクを介して通信ネットワークと通信できるように、マルチスロット・ベースの出力クラス指定に基づき、移動局に通信リソースを提供し得る。例えば、移動局１６０は音声アプリケーション（音声呼など）からデータ・アプリケーション（Ｗｅｂブラウジングなど）に切り換わることがあり、それにはより高いデータ転送速度が必要とされ得る。したがって、移動局１６０は、マルチスロット・ベースの出力クラス指定に基づいて通信ネットワークから割り当てメッセージを受信し得る。この割り当てメッセージは、割り当て出力レベルおよび割り当てスロット数を含み得る。割り当て出力レベルは、移動局１６０の最大出力より低くすることが可能であるが、割り当てスロット数は、その音声アプリケーションが使用可能なスロット数より多くすることが可能であり、それによって、移動局１６０は、データ・アプリケーション時に音声アプリケーション時より高いデータ転送速度で動作し得る。マルチスロット・ベースの出力クラス指定以外に、通信ネットワークは、データ・スループットを最大にするために、無線リンク条件（移動局１６０の信号強度および基地局からの距離のうちの少なくともいずれか）に基づいて、割り当て出力レベルおよび割り当てスロット数を決定することも可能である。割り当てメッセージを受信すると、移動局１６０は、過熱を防ぐために、割り当て出力レベルおよび割り当てスロット数に基づき、アップリンクを介して通信ネットワークにデータを送信し得る。
【００２１】
さらに過熱を防ぐために、移動局１６０は、無線リンクを介した通信ネットワークとの通信の間に、工程５３０で、移動局１６０に関連付けられた動作パラメータを監視し得る。例えば、その動作パラメータは、それだけに限らないが、送信ユニットなど、移動局１６０内の構成部品の熱パラメータ（すなわち温度）とすることも可能である。移動局１６０が、熱パラメータが閾値を超えたことを検出した場合は、移動局１６０は、工程５４０で、無線リンクを介した通信ネットワークとの通信を中断し得る。熱パラメータが閾値を下回ったことを検出すると、移動局１６０は、工程５５０で、無線リンクを介した通信ネットワークとの通信を再開し得る。
【００２２】
本明細書で開示した実施形態は、時分割多元接続（ＴＤＭＡ）ベースの通信プロトコルなどの、タイムスロットに基づくデータ転送速度を用いる通信プロトコルに特に適しているが、その教示は、そのような通信プロトコルに全く限定されるものではないことが当業者には理解されるであろう。そうではなく、本開示の教示をデータ転送速度の他の変形形態に用い得ることが、当業者には容易に理解されるであろう。
【００２３】
本明細書に述べた実施形態に多くの変更および改変を加えることが可能であろう。一部の変更の範囲については本明細書で論じた。その他の変更の範囲は、添付の特許請求の範囲を読めば明らかになるであろう。
【図面の簡単な説明】
【００２４】
【図１】無線通信システムを表すブロック図。
【図２】移動局を表すブロック図。
【図３】移動局による呼の流れを表す流れ図。
【図４】マルチスロット・ベースの出力クラス指定に関連付けられた出力レベルおよびスロット数を表す表。
【図５】マルチスロット・ベースの出力クラス指定に基づき無線リンクを介して通信を制御する方法を示す流れ図。
【図１】
0004511364.tif 000002
【図２】
0004511364.tif 000003
【図３】
0004511364.tif 000004
【図４】
0004511364.tif 000005
【図５】
0004511364.tif 000006